(57)【要約】【課題】釣人が状況に合わせて柄部の長さを調整しつつ用いることが可能な玉網を提供する。【解決手段】この玉網の柄２の中で最も手元側に位置する第１筒状体１１と、第１筒状体１１の先端側に振出形式で連結される第２筒状体１２とには以下のような前栓２５と後栓２５とが装着されている。前栓２５は外周面に形成された多条ねじの雄ねじ部を有している。他方、後栓２０は、前栓２５が先端側から挿入される中空が設けられ且つその内周面に雄ねじ部に螺合する多条ねじの雌ねじ部を有している。さらに、上述の中空内から先端側に突出するように軸長方向に延びるコイルバネ２２が配置されている。【選択図】      図２
2005013157.tif 000002
【特許請求の範囲】
【請求項１】
第１筒状体と、前記第１筒状体の先端側に振出形式で連結される第２筒状体とを少なくとも有する玉網の柄であって、
前記第２筒状体の手元側端部に脱着自在に装着される栓部材であり、外周面に形成された雄ねじ部を有する前栓と、
前記第１筒状体の手元側端部に脱着自在に装着される栓部材であり、前記前栓が先端側から挿入される収納空間が設けられ且つその内周面に前記雄ねじ部に螺合する雌ねじ部を有し、また、前記収納空間内から先端側に突出するように軸長方向に延びるクッション材を有する後栓と、を備えた玉網の柄。
【請求項２】
第１筒状体と、前記第１筒状体の先端側に振出形式で連結される第２筒状体とを少なくとも有する玉網の柄であって、
前記第２筒状体の手元側端部に脱着自在に装着される栓部材であり、外周面に形成された雄ねじ部を有する前栓と、
前記第１筒状体の手元側端部に脱着自在に装着される栓部材であり、前記前栓が先端側から挿入される収納空間が設けられ且つその内周面に前記雄ねじ部に螺合する雌ねじ部を有する後栓と、
前記前栓の手元側端面に手元側に突出するように連結され前記収納空間内に収納可能なクッション材と、を備えた玉網の柄。
【請求項３】
前記クッション材は、コイルバネ，柱状のゴム材，パイプ状のゴム材からなる群より選択される、請求項１又は２に記載の玉網の柄。
【発明の詳細な説明】
【０００１】
【発明の属する技術分野】
本発明は魚釣りに用いる玉網の柄に関する。
【０００２】
【従来の技術】
魚釣りを行う際に、釣竿の仕掛けに係った魚を引き上げるために玉網が用いられる。玉網は、環状の枠部と、枠部に固定される袋状の網と、枠部に連結された柄とを有している。この柄は、複数の先細りテーパの施された筒状体を順次振出形式に連結してなるものであり、順次手元側の筒状体内に先端側の筒状体が収納可能となっている（例えば、一般的な玉網の構造を示すものとして、特許文献１参照）。
【０００３】
このような玉網では、収納時は柄を構成する筒状体を順次手元側に収納したコンパクトな状態としておく。そして、釣竿の仕掛けにかかった魚を釣り上げる際に、網側を水面に向かって勢いよく差し出し、順次の筒状体を引き出して長い一本の柄部として先端の網に魚をすくい入れる。
【０００４】
【特許文献１】
特開２００２−２４７９３１号公報
【０００５】
【発明が解決しようとする課題】
従来の玉網の柄は一定数の筒状体を連結してなる柄部を有するものであり、各筒状体を長く引き出して一本の長い玉網の柄とした場合の全体の長さも決まっている。
【０００６】
しかし、釣りを行う際に必要となる玉網の柄の長さは必ずしも一定ではない。即ち、魚をすくい入れる為に引き延ばして差し出す玉網の柄の長さは、釣り場の状況によって様々である。そこで、玉網の柄を引き延ばした状態での長さを調整して、用いることができる玉網の柄が求められている。
【０００７】
本発明の課題は、釣人が状況に合わせて柄部の長さを調整しつつ用いることが可能な玉網を提供することにある。
【０００８】
【課題を解決するための手段】
本発明の玉網の柄は、第１筒状体と、第１筒状体の先端側に振出形式で連結される第２筒状体とを少なくとも有する玉網の柄である。そして、この玉網の柄は、第２筒状体の手元側端部に脱着自在に装着される栓部材であり、外周面に形成された雄ねじ部を有する前栓と、第１筒状体の手元側端部に脱着自在に装着される栓部材であり、前栓が先端側から挿入される収納空間が設けられ且つその内周面に雄ねじ部に螺合する雌ねじ部を有し、また、収納空間内から先端側に突出するように軸長方向に延びるクッション材を有する後栓とを備えている。
【０００９】
この玉網の柄は、最も先端側に位置する筒状体の先端に網枠を連結して用いられる。先端側に位置する筒状体から順次手元側に位置する各筒状体内に振出形式に各筒状体が収納されて、第２筒状体へ収納され、最終的に最も手元側に位置する第１筒状体へ収納されてコンパクトな状態となる。そして、釣竿の仕掛けにかかった魚を釣り上げる際には、網側を水面に向かって勢いよく差し出し、順次、各筒状体を引き出して長い一本の柄部として先端の網に魚をすくい入れる。
【００１０】
ここで、釣人は、玉網の柄の引き出し長さを以下のように調整することができる。まず、第１筒状体と第２筒状体とを相互にフリーな状態としておけば、各筒状体が全て先端側に飛び出して全筒状体の長さとなる。一方、第２筒状体が第１筒状体内に収納された状態で両者を相互に係合し固定しておけば、第２筒状体の軸方向長さ分だけ全筒状体の長さより短くなった引き出し長さとなる。
【００１１】
具体的には、第２筒状体を第１筒状体内に収納した状態で、第２筒状体の前栓を第１筒状体の後栓の収納空間内に挿入し、第１筒状体と第２筒状体とを周方向に相対的に回転させて、前栓の雄ねじ部を後栓の雌ねじ部に螺着させる。
【００１２】
この前栓を後栓の収納空間に挿入する際に、前栓と後栓とがきれいに整合して前栓が後栓の収納空間に収納されれば良いが、必ずしも整合的に前栓が後栓の収納空間に収納されるものではない。また、勢いよく第２筒状体が第１筒状体内に収納されてくる場合には、前栓と後栓との衝突は相互の破損を生じかねない。そこで、後栓の収納空間内から先端側に突出するように軸長方向に延びるクッション材が、前栓の手元側端面にまず当接して緩衝材となり、前栓と後栓との衝突による破損などを防止する。その後、クッション材を収納空間内において収縮させながら、前栓と後栓とを螺着させる。
【００１３】
また、別の玉網の柄も、第１筒状体と、第１筒状体の先端側に振出形式で連結される第２筒状体とを少なくとも有する玉網の柄である。この玉網の柄は、第２筒状体の手元側端部に脱着自在に装着される栓部材であり、外周面に形成された雄ねじ部を有する前栓と、第１筒状体の手元側端部に脱着自在に装着される栓部材であり、前栓が先端側から挿入される収納空間が設けられ且つその内周面に雄ねじ部に螺合する雌ねじ部を有する後栓と、前栓の手元側端面に手元側に突出するように連結され収納空間内に収納可能なクッション材とを備えている。
【００１４】
この玉網の柄でも、上述の玉網の柄と同様に、玉網の柄の全体の長さを調整することができる。そして、第２筒状体を第１筒状体内に収納して前栓と後栓とを螺着させる際に、クッション材が前栓と後栓との破損等を抑えている。
【００１５】
なお、クッション材は、例えば、コイルバネ，柱状のゴム材，パイプ状のゴム材からなる群より選択すれば足りる。
【００１６】
【発明の実施の形態】
［第１実施形態］
本発明の１つ実施形態について図面を参照しつつ説明する。
【００１７】
本発明の第１実施形態を採用した玉網は、図１に示すように、環状の枠に網が取り付けられた網枠部１とこれに連結される玉網の柄２とからなる。この玉網の柄２は、複数の第１〜第６筒状体１１〜１６と、最も先端側に位置する第６筒状体の先端側端部に装着された口栓３とを有している。
【００１８】
網枠部１は、ステンレス合金やチタン合金等からなる金属製部材を環状に折り曲げて形成した枠と、ナイロン繊維等からなる糸を網目状の編み込んでなる略円筒型の網とを組み合わせたものである。網枠部１の金属枠の一部に連結部４が取り付けられている。この連結部４には雄ねじ部分が形成されており、この雄ねじ部分が後述のように第６筒状体１６の先端側端部に脱着自在に連結されることになる。
【００１９】
柄部２は、例えば、６つの筒状体（最も手元側に位置する第１筒状体１１〜最も先端側に位置する第６筒状体１６）を順次連結してなる部分である。もっとも、連結する筒状体の数は６本に限定されるものではなく、必要に応じて任意に設定される。各筒状体１１〜１６は、それぞれ炭素繊維等の強化繊維に合成樹脂を含浸させた繊維強化樹脂を芯材に巻回して焼成して製造する先細り筒状部材である。これらはいわゆる振出形式で連結されており、先端側に位置する筒状体から順次手元側の筒状体内に収納可能である。即ち、これらの第１筒状体１１〜第５筒状体１５の手元側端部外周面はそれぞれ嵌合雄部となっており、順次各筒状体を引きだして引き延ばした際に、順次手元側の筒状体の先端側の内周面に嵌合若しくは当接する。従って、先端側に各筒状体が引き出された際には各筒状体が先端側に抜け落ちないようになっている。
【００２０】
また、最も先端側に位置する第６筒状体１６の先端側の内部には雌ねじ部材が収納され若しくは直接第６筒状体１６の内周面に雌ねじが形成されている。この雌ねじ部材若しくは直接内周面に形成された雌ねじに、上述の連結部４が連結されることになる。
【００２１】
さらに、最も先端側に位置する小径の第６筒状体１６の先端側端部外周には口栓３が装着されている。口栓３は脱着自在に若しくは接着剤等によって脱着不能に第６筒状体１６に装着される。この口栓３は、例えば、ＡＢＳやポリカーボネイトのような硬質合成樹脂，ウレタンゴムやスチレンゴム等のゴムからなる。口栓３には第６筒状体１６が軸長方向に貫通可能な貫通孔が形成されており、第６筒状体１６が口栓３を貫通した状態で、口栓３が第６筒状体１６に装着されている。
【００２２】
なお、この口栓３の外周面は第２筒状体１２の穂先側端部が嵌着できるように、その外径を第２筒状体１２の先端側端部の内径に凡そあわせて設定しておく。各筒状体を収納した際に、口栓３が第２筒状体１２に嵌って栓となる。このため、口栓３の外周面は手元側ほど小径化するようなテーパ面としてもよく、第２筒状体１２との固着防止のために軸長方向に延びる複数の溝を形成してもよい。
【００２３】
この玉網の柄２の第１筒状体１１と第２筒状体１２とは、第２筒状体１２を第１筒状体１１に収納した際にも、第２筒状体１２を第１筒状体１１に連結固定可能である。その具体的な構造を以下に示す。
【００２４】
図２及び図３に示すように、第１筒状体１１の手元側端部には後栓２０が脱着自在に装着されている。後栓２０は、第１筒状体１１の手元側端部内周面に形成された雌ねじ部分に脱着自在に螺着している栓部材である。詳しくは、後栓２０は、頭部分２１と、頭部分２１に連結される胴部分２２と、コイルバネ２３とから構成されている。
【００２５】
頭部分２１は第１筒状体１１の手元側端部から外に顕れている部分である。ここをユーザが周面を摘んで後栓２０を操作する。胴部分２２は第１筒状体１１内に挿入される部分である。その周面に雌ねじ部分に螺着する雄ねじ部分が形成されている。胴部分２２は先端側に開口する中空の円筒型の部分であり、内周面には多条ねじ（例えば、６条ねじ等）の雌ねじ部分となっている。また、胴部分２２の中空内に、一端を頭部分２１に連結し他端を胴部分２２から先端側に幾分突出させた状態で、コイルバネ２２が配置されている。コイルバネ２２が胴部分２２より先端側に突出する突出長さは数ｍｍ程度で足りる。なお、コイルバネ２２は胴部分２２の中空の軸長方向より短い軸長方向まで十分に収縮時可能とする（図３参照）。
【００２６】
図２及び図３に示すように、第２筒状体１２の後端には前栓２５が脱着自在に装着されている。前栓２５は、第２筒状体１２手元側端部内周面に形成された雌ねじ部分に脱着自在に螺着している栓部材である。詳しくは、前栓２５は、頭部分２６と、頭部分２６に連結される胴部分２７とから構成される。
【００２７】
頭部分２６は第２筒状体１２の手元側端部から外に顕れている円柱型の部分である。その最大外径は、上述の後栓２０の胴部分２２の中空に整合している。また、頭部分２６の外周面には後栓２０の胴部分２２の多条ねじの雌ねじ部分に合致する雄ねじ部分となっている。胴部分２７は第２筒状体１２内に挿入される部分である。その周面に第２筒状体１２の雌ねじ部分に螺着する雄ねじ部分が形成されている。この胴部２７のねじ方向と上述の多条ねじのねじ方向とは反対方向とするのが好ましい。
【００２８】
このように構成されている玉網の柄２は、上述のように、第６筒状体１６の先端に網枠部１を連結して用いられる。また、第６筒状体１６から順次手元側に位置する各筒状体内に振出形式に各筒状体が収納されて、第２筒状体１２へ収納され、最終的に最も手元側に位置する第１筒状体１１へ収納されてコンパクトな状態となる。そして、釣竿の仕掛けにかかった魚を釣り上げる際には、網枠部１を水面に向かって勢いよく差し出し、順次、各筒状体を引き出して長い一本の玉網の柄２として先端の網枠部１の網の中に魚をすくい入れる。
【００２９】
ここで、釣人は、玉網の柄２の引き出し長さを以下のように調整することができる。まず、第１筒状体１１と第２筒状体１２とを相互にフリーな状態としておけば、各筒状体が全て先端側に飛び出して全筒状体の長さとなる。一方、第２筒状体１２が第１筒状体内１１に収納された状態で両者を相互に係合し固定しておけば、第２筒状体１２の軸方向長さ分だけ全筒状体の長さより短くなった引き出し長さとなる。
【００３０】
具体的には、図２及び図３に示すように、第２筒状体１２を第１筒状体１１内に収納した状態で、第２筒状体１２の前栓２６の頭部分２６の多条ねじの雄ねじを、第１筒状体１１の後栓２１の胴部分２１内に挿入し、第１筒状体１１と第２筒状体１２とを周方向に相対的に回転させて、前栓２５の多条ねじの雄ねじ部を後栓２０の多条ねじの雌ねじ部に螺着させる。これらの部分を多条ねじとしておくことで、前栓２５と後栓２０との相互の係脱はスムーズになっている。
【００３１】
そして、この前栓２５の頭部分２６を後栓２０の胴部分２１内に挿入する際には、まず、前栓２５の頭部分２６の手元側端面にコイルバネ２２が当たり、このコイルバネ２２が緩衝材となっている。従って、前栓２５と後栓２０とが勢いよく衝突して破損してしまうことが防止される。特に、多条ねじのねじ部分が破損してしまうのを抑えられる。
【００３２】
その後、前栓２５の胴部分２６の多条ねじの雄ねじ部分を前栓２０の胴部分２１の多条ねじの雌ねじ部分に螺着させながら、コイルバネ２２を圧縮し、図３に示すように、前栓２０と後栓２５とを螺着させる。
【００３３】
［他の実施形態］
（ａ）本発明の他の実施形態を、図４に示す。この玉網の柄も上記実施形態と基本的な構造は同一である。即ち、手元側の第１筒状体から先端側に向かって、複数の筒状体が振出形式に連結されている。
【００３４】
図４に示すように、この第２筒状体３２の手元側端部には、前栓４５が上記実施形態と同様に脱着自在に装着されている。そして、頭部分４６の手元側端面に手元側方向に延びるコイルバネ４８が連結されている。一方、第１筒状体（図示せず）の手元側端部に脱着自在に装着されている後栓には上記実施形態と異なりコイルバネが装着されていない。
このような玉網の柄においても、上記実施形態と同様の作用効果を得られる。
【００３５】
（ｂ）さらに、コイルバネ４８に代えて、図５に示すようにパイプ状の弾性ゴム４９を前栓４５に装着してもよい。ここでは、パイプ状の弾性ゴム４９を例示するが、弾性ゴム４９は中実の柱状ゴムでもよい。
【００３６】
【発明の効果】
本発明の玉網は、柄部全体の長さを任意に調整しながら用いることが可能である。
【図面の簡単な説明】
【図１】本発明の第１実施形態を採用した玉網の全体図。
【図２】図１の玉網の柄２の第１筒状体１１と第２筒状体１２とを示した図。
【図３】図１の玉網の柄２の第１筒状体１１と第２筒状体１２とを螺着させて固定した状態を示した図。
【図４】他の実施形態を採用した玉網の柄の第２筒状体３２及び前栓４５を示した図。
【図５】図４の前栓４５のさらに別の変形例を示した図。
【符号の説明】
１  網枠部
２  玉網の柄
３  口栓
１１〜１６  第１〜第６筒状体
２０  後栓
２２，４８  コイルバネ
２５，４５  前栓
【図１】
2005013157.tif 000003
【図２】
2005013157.tif 000004
【図３】
2005013157.tif 000005
【図４】
2005013157.tif 000006
【図５】
2005013157.tif 000007